(57)【特許請求の範囲】
【請求項１】
記録予約により番組コンテンツが記録される記録媒体と、
前記記録媒体に記録されたコンテンツを特定するコンテンツ情報とそのコンテンツの消去を制限する者を示すコンテンツ消去制限者情報とを対応付けて記憶する視聴情報記憶部と、
前記記録媒体に記録されたコンテンツの指定と前記コンテンツ消去制限者情報の入力と、を受け付けるコンテンツ消去制限者情報入力部と、
前記コンテンツ消去制限者情報入力部により入力された前記コンテンツ消去制限者情報を、指定されたコンテンツを特定する前記コンテンツ情報に対応付けて前記視聴情報記憶部に記録する視聴情報更新部と、
前記視聴情報記憶部に記憶されている前記コンテンツ情報に前記コンテンツ消去制限者情報が対応付けられている場合に、前記コンテンツ情報が示すコンテンツの前記記録媒体からの消去を制限するコンテンツ消去制限部と、
前記記録予約を設定する記録予約情報と、その記録予約の消去を制限する者を示す予約消去制限者情報とを対応付けて記憶する予約情報記憶部と、
前記記録予約情報の指定と、前記予約消去制限者情報の入力と、を受け付ける予約消去制限者情報入力部と、
前記予約消去制限者情報入力部により入力された前記予約消去制限者情報を、指定された前記記録予約情報に対応付けて前記予約情報記憶部に記録する予約消去制限者情報更新部と、
前記予約情報記憶部に記憶されている前記記録予約情報に前記予約消去制限者情報が対応付けられている場合、前記記録予約情報の消去を制限する記録予約消去制限部と、
を備え、
前記予約情報記憶部は、前記記録予約情報が複数含まれる記録予約セットと、その記録予約の消去を制限する者を示す予約消去制限者情報とを対応付けて記憶し、
前記視聴情報記憶部は、前記記録予約セットを識別するセットＩＤと、前記記録予約セットに含まれる前記記録予約情報に従って記録されたコンテンツを示す前記コンテンツ情報と、そのコンテンツの消去を制限する者を示すコンテンツ消去制限者情報とを対応付けて記憶し、
前記予約消去制限者情報更新部は、前記指定されたコンテンツを特定するコンテンツ情報に対応付けられた前記セットＩＤを特定するとともに、前記セットＩＤにより特定される前記記録予約セットに、前記入力されたコンテンツ消去制限者情報を、前記予約消去制限者情報として対応付けて、前記予約情報記憶部に記録し、
前記記録予約消去制限部は、前記記録予約セットに前記予約消去制限者情報が対応付けられている場合、前記記録予約セットの消去を制限する、
ことを特徴とする記録装置。
【請求項２】
記録予約により番組コンテンツが記録される記録媒体と、
前記記録媒体に記録されたコンテンツを特定するコンテンツ情報とそのコンテンツの消去を制限する者を示すコンテンツ消去制限者情報とを対応付けて記憶する視聴情報記憶部と、
前記記録媒体に記録されたコンテンツの指定と前記コンテンツ消去制限者情報の入力と、を受け付けるコンテンツ消去制限者情報入力部と、
前記コンテンツ消去制限者情報入力部により入力された前記コンテンツ消去制限者情報を、指定されたコンテンツを特定する前記コンテンツ情報に対応付けて前記視聴情報記憶部に記録する視聴情報更新部と、
前記視聴情報記憶部に記憶されている前記コンテンツ情報に前記コンテンツ消去制限者情報が対応付けられている場合に、前記コンテンツ情報が示すコンテンツの前記記録媒体からの消去を制限するコンテンツ消去制限部と、
前記記録予約を設定する記録予約情報と、その記録予約の消去を制限する者を示す予約消去制限者情報とを対応付けて記憶する予約情報記憶部と、
前記記録予約情報の指定と、前記予約消去制限者情報の入力と、を受け付ける予約消去制限者情報入力部と、
前記予約消去制限者情報入力部により入力された前記予約消去制限者情報を、指定された前記記録予約情報に対応付けて前記予約情報記憶部に記録する予約消去制限者情報更新部と、
前記予約情報記憶部に記憶されている前記記録予約情報に前記予約消去制限者情報が対応付けられている場合、前記記録予約情報の消去を制限する記録予約消去制限部と、
を備え、
前記予約情報記憶部は、前記記録予約情報が複数含まれる記録予約セットと前記予約消去制限者情報とを対応付けて記憶し、
前記予約消去制限者情報入力部は、前記記録予約セットの指定と前記予約消去制限者情報の入力と、を受け付け、
前記予約消去制限者情報更新部は、前記予約消去制限者情報入力部により入力された予約消去制限者情報を、前記指定された記録予約セットに対応付けて前記予約情報記憶部に記録し、
前記視聴情報記憶部は、前記記録予約セットを識別するセットＩＤと、前記記録予約セットに含まれる前記記録予約情報に従って記録されたコンテンツを示すコンテンツ情報と、前記記録されたコンテンツの消去を制限する者を示すコンテンツ消去制限者情報とを対応付けて記憶し、
前記視聴情報更新部は、前記指定された前記記録予約セットに対応するセットＩＤを特定するとともに、前記セットＩＤに対応付けられた前記コンテンツ情報を特定して、前記コンテンツ情報に、前記入力された予約消去制限者情報を、前記コンテンツ消去制限者情報として対応付けて、前記視聴情報記憶部に記録する、
ことを特徴とする記録装置。
【請求項３】
前記記録予約セットに含まれる記録予約情報は、曜日ないしは週が異なりほぼ同一の時刻から連続して放送されるいわゆる連続番組またはシリーズ番組の記録予約を設定することを特徴とする請求項１又は２に記載の記録装置。
【請求項４】
前記視聴情報記憶部は、前記コンテンツ情報及び前記コンテンツ消去制限者情報と、前記記録媒体に記録されたコンテンツの再生停止位置を示すレジューム情報とを対応付けて記憶することを特徴とする請求項１乃至３のいずれか１項に記載の記録装置。
【請求項５】
コンテンツを管理するために、記録装置によって実行される方法であって、
記録されたコンテンツを示すコンテンツ情報とそのコンテンツの消去を制限する者を示すコンテンツ消去制限者情報とを対応付けて記憶する視聴情報記憶段階と、
コンテンツ消去制限者情報を入力し、コンテンツ情報に対応付けることで、記憶されている前記コンテンツ消去制限者情報を更新するコンテンツ消去制限者情報更新段階と、
前記コンテンツ情報に前記コンテンツ消去制限者情報が対応付けられている場合、前記コンテンツ情報が示すコンテンツの消去を制限するコンテンツ消去制限段階と、
記録予約を設定する記録予約情報と、その記録予約の消去を制限する者を示す予約消去制限者情報とを対応付けて記憶する予約情報記憶段階と、
前記記録予約情報の指定と、前記予約消去制限者情報の入力と、を受け付ける予約消去制限者情報入力段階と、
前記予約消去制限者情報入力段階で入力された前記予約消去制限者情報を、指定された前記記録予約情報に対応付けて記録する予約消去制限者情報更新段階と、
前記予約情報記憶段階で記憶された前記記録予約情報に前記予約消去制限者情報が対応付けられている場合、前記記録予約情報の消去を制限する記録予約消去制限段階と、
を備え、
前記予約情報記憶段階では、前記記録予約情報が複数含まれる記録予約セットと、その記録予約の消去を制限する者を示す予約消去制限者情報とを対応付けて記憶し、
前記視聴情報記憶段階では、前記記録予約セットを識別するセットＩＤと、前記記録予約セットに含まれる前記記録予約情報に従って記録されたコンテンツを示す前記コンテンツ情報と、そのコンテンツの消去を制限する者を示すコンテンツ消去制限者情報とを対応付けて記憶し、
前記予約消去制限者情報更新段階では、前記コンテンツ情報に対応付けられた前記セットＩＤを特定するとともに、前記セットＩＤにより特定される前記記録予約セットに、前記入力されたコンテンツ消去制限者情報を、前記予約消去制限者情報として対応付けて記録し、
前記記録予約消去制限段階では、前記記録予約セットに前記予約消去制限者情報が対応付けられている場合、前記記録予約セットの消去を制限する、
ことを特徴とするコンテンツの管理方法。
【請求項６】
コンテンツを管理するために、記録装置によって実行される方法であって、
記録されたコンテンツを示すコンテンツ情報とそのコンテンツの消去を制限する者を示すコンテンツ消去制限者情報とを対応付けて記憶する視聴情報記憶段階と、
コンテンツ消去制限者情報を入力し、コンテンツ情報に対応付けることで、記憶されている前記コンテンツ消去制限者情報を更新するコンテンツ消去制限者情報更新段階と、
前記コンテンツ情報に前記コンテンツ消去制限者情報が対応付けられている場合、前記コンテンツ情報が示すコンテンツの消去を制限するコンテンツ消去制限段階と、
記録予約を設定する記録予約情報と、その記録予約の消去を制限する者を示す予約消去制限者情報とを対応付けて記憶する予約情報記憶段階と、
前記記録予約情報の指定と、前記予約消去制限者情報の入力と、を受け付ける予約消去制限者情報入力段階と、
前記予約消去制限者情報入力段階で入力された前記予約消去制限者情報を、指定された前記記録予約情報に対応付けて記録する予約消去制限者情報更新段階と、
前記予約情報記憶段階で記憶された前記記録予約情報に前記予約消去制限者情報が対応付けられている場合、前記記録予約情報の消去を制限する記録予約消去制限段階と、
を備え、
前記予約情報記憶段階では、前記記録予約情報が複数含まれる記録予約セットと前記予約消去制限者情報とを対応付けて記憶し、
前記予約消去制限者情報入力段階では、前記記録予約セットの指定と前記予約消去制限者情報の入力と、を受け付け、
前記予約消去制限者情報更新段階では、前記予約消去制限者情報入力段階で入力された予約消去制限者情報を、前記指定された記録予約セットに対応付けて記録し、
前記視聴情報記憶段階では、前記記録予約セットを識別するセットＩＤと、前記記録予約セットに含まれる前記記録予約情報に従って記録されたコンテンツを示すコンテンツ情報と、前記記録されたコンテンツの消去を制限する者を示すコンテンツ消去制限者情報とを対応付けて記憶し、
前記コンテンツ消去制限者情報更新段階では、前記指定された前記記録予約セットに対応するセットＩＤを特定するとともに、前記セットＩＤに対応付けられた前記コンテンツ情報を特定して、前記コンテンツ情報に、前記入力された予約消去制限者情報を、前記コンテンツ消去制限者情報として対応付けて記録する、
ことを特徴とするコンテンツの管理方法。
【請求項７】
記録装置が備えるコンピュータに、
記録されたコンテンツを示すコンテンツ情報とそのコンテンツの消去を制限する者を示すコンテンツ消去制限者情報とを対応付けて記憶する視聴情報記憶段階、
コンテンツ消去制限者情報を入力し、コンテンツ情報に対応付けることで、記憶されている前記コンテンツ消去制限者情報を更新するコンテンツ消去制限者情報更新段階、
前記コンテンツ情報に前記コンテンツ消去制限者情報が対応付けられている場合、前記コンテンツ情報が示すコンテンツの消去を制限するコンテンツ消去制限段階、
記録予約を設定する記録予約情報と、その記録予約の消去を制限する者を示す予約消去制限者情報とを対応付けて記憶する予約情報記憶段階、
前記記録予約情報の指定と、前記予約消去制限者情報の入力と、を受け付ける予約消去制限者情報入力段階、
前記予約消去制限者情報入力段階で入力された前記予約消去制限者情報を、指定された前記記録予約情報に対応付けて記録する予約消去制限者情報更新段階、
前記予約情報記憶段階で記憶された前記記録予約情報に前記予約消去制限者情報が対応付けられている場合、前記記録予約情報の消去を制限する記録予約消去制限段階、
を実行させ、
前記予約情報記憶段階では、前記記録予約情報が複数含まれる記録予約セットと、その記録予約の消去を制限する者を示す予約消去制限者情報とを対応付けて記憶し、
前記視聴情報記憶段階では、前記記録予約セットを識別するセットＩＤと、前記記録予約セットに含まれる前記記録予約情報に従って記録されたコンテンツを示す前記コンテンツ情報と、そのコンテンツの消去を制限する者を示すコンテンツ消去制限者情報とを対応付けて記憶し、
前記予約消去制限者情報更新段階では、前記コンテンツ情報に対応付けられた前記セットＩＤを特定するとともに、前記セットＩＤにより特定される前記記録予約セットに、前記入力されたコンテンツ消去制限者情報を、前記予約消去制限者情報として対応付けて記録し、
前記記録予約消去制限段階では、前記記録予約セットに前記予約消去制限者情報が対応付けられている場合、前記記録予約セットの消去を制限する、
ことを特徴とするプログラム。
【請求項８】
記録装置が備えるコンピュータに、
記録されたコンテンツを示すコンテンツ情報とそのコンテンツの消去を制限する者を示すコンテンツ消去制限者情報とを対応付けて記憶する視聴情報記憶段階、
コンテンツ消去制限者情報を入力し、コンテンツ情報に対応付けることで、記憶されている前記コンテンツ消去制限者情報を更新するコンテンツ消去制限者情報更新段階、
前記コンテンツ情報に前記コンテンツ消去制限者情報が対応付けられている場合、前記コンテンツ情報が示すコンテンツの消去を制限するコンテンツ消去制限段階、
記録予約を設定する記録予約情報と、その記録予約の消去を制限する者を示す予約消去制限者情報とを対応付けて記憶する予約情報記憶段階、
前記記録予約情報の指定と、前記予約消去制限者情報の入力と、を受け付ける予約消去制限者情報入力段階、
前記予約消去制限者情報入力段階で入力された前記予約消去制限者情報を、指定された前記記録予約情報に対応付けて記録する予約消去制限者情報更新段階、
前記予約情報記憶段階で記憶された前記記録予約情報に前記予約消去制限者情報が対応付けられている場合、前記記録予約情報の消去を制限する記録予約消去制限段階、
を実行させ、
前記予約情報記憶段階では、前記記録予約情報が複数含まれる記録予約セットと前記予約消去制限者情報とを対応付けて記憶し、
前記予約消去制限者情報入力段階では、前記記録予約セットの指定と前記予約消去制限者情報の入力と、を受け付け、
前記予約消去制限者情報更新段階では、前記予約消去制限者情報入力段階で入力された予約消去制限者情報を、前記指定された記録予約セットに対応付けて記録し、
前記視聴情報記憶段階では、前記記録予約セットを識別するセットＩＤと、前記記録予約セットに含まれる前記記録予約情報に従って記録されたコンテンツを示すコンテンツ情報と、前記記録されたコンテンツの消去を制限する者を示すコンテンツ消去制限者情報とを対応付けて記憶し、
前記コンテンツ消去制限者情報更新段階では、前記指定された前記記録予約セットに対応するセットＩＤを特定するとともに、前記セットＩＤに対応付けられた前記コンテンツ情報を特定して、前記コンテンツ情報に、前記入力された予約消去制限者情報を、前記コンテンツ消去制限者情報として対応付けて記録する、
ことを特徴とするプログラム。
【発明の詳細な説明】
【技術分野】
【０００１】
本発明は、記録装置、コンテンツの管理方法、及びプログラムに関する。
【背景技術】
【０００２】
近年、テレビジョン放送の番組コンテンツを録画（録音；記録）する録画装置として、録画したコンテンツの中から選択されたコンテンツを再生・消去可能とし、また、録画の予約設定を登録・消去可能な録画装置が普及している。このような録画装置が複数のユーザで共有される場合、各ユーザは、録画されたコンテンツの全てを視聴でき、また、視聴済みのコンテンツや、関心の無い番組コンテンツの予約設定を消去できる。このため、あるユーザが録画したコンテンツが、他のユーザにより勝手に消去されてしまう問題が生じ得る。
【０００３】
特許文献１，２には、複数のユーザが録画装置を共有する場合に生じる問題を解消するための技術が開示される。
【０００４】
特許文献１の録画装置では、コンテンツにユーザＩＤを対応付けて記憶し、コンテンツ消去時に、消去者のユーザＩＤと登録されているユーザＩＤとが一致するか否かを判別し、一致する場合にのみ、そのコンテンツを消去する。この技術によれば、録画されたコンテンツが、ＩＤが登録されている者以外によって勝手に消去される事態を防止できる。
【０００５】
また、特許文献２の録画装置では、コンテンツの録画を予約する際に、他ユーザによって同一コンテンツの録画予約が既に設定されているか否かを判別し、録画が他ユーザによって予約されている場合には、コンテンツを１つの記録動作で共有領域に録画する。このため、同一のコンテンツが重複して録画されることが防止される。
【先行技術文献】
【特許文献】
【０００６】
【特許文献１】特開２００５−２５９２５１号公報
【特許文献２】特開２００８−１７７９８９号公報
【発明の概要】
【発明が解決しようとする課題】
【０００７】
特許文献１に開示された録画装置では、コンテンツに複数のユーザＩＤが登録されている場合、ユーザＩＤが登録されているユーザ以外のユーザによってそのコンテンツが消去される事態は防止される。しかし、ユーザＩＤが登録されている複数のユーザのうち、一のユーザによって他のユーザの了解無く、コンテンツが勝手に消去される可能性がある。
【０００８】
また、特許文献２に開示された録画装置では、同一コンテンツを共有化して重複録画を防止できるものの、消去に関する開示がない。このため、共有（共用）化されているコンテンツが、一の共有者によって他の共有者の同意のないままに、消去されるおそれがある。記録済のコンテンツに限らず、録画（録音）予約についても、同様の問題が存在する。
【０００９】
本発明は、以上の事情に鑑みてなされたものであり、その目的は、コンテンツ或いは記録予約が、一ユーザによって他ユーザの同意なく消去される事態を防止可能である記録装置、コンテンツの管理方法、及びプログラムを提供することである。
【００１０】
また、本発明の他の目的は、保存を希望しているコンテンツ或いは記録予約が、他者によって勝手に消去される事態を防止可能である記録装置、コンテンツの管理方法、及びプログラムを提供することである。
【課題を解決するための手段】
【００１１】
本発明の第１の観点に係る記録装置は、
記録予約により番組コンテンツが記録される記録媒体と、
前記記録媒体に記録されたコンテンツを特定するコンテンツ情報とそのコンテンツの消去を制限する者を示すコンテンツ消去制限者情報とを対応付けて記憶する視聴情報記憶部と、
前記記録媒体に記録されたコンテンツの指定と前記コンテンツ消去制限者情報の入力と、を受け付けるコンテンツ消去制限者情報入力部と、
前記コンテンツ消去制限者情報入力部により入力された前記コンテンツ消去制限者情報を、指定されたコンテンツを特定する前記コンテンツ情報に対応付けて前記視聴情報記憶部に記録する視聴情報更新部と、
前記視聴情報記憶部に記憶されている前記コンテンツ情報に前記コンテンツ消去制限者情報が対応付けられている場合に、前記コンテンツ情報が示すコンテンツの前記記録媒体からの消去を制限するコンテンツ消去制限部と、
前記記録予約を設定する記録予約情報と、その記録予約の消去を制限する者を示す予約消去制限者情報とを対応付けて記憶する予約情報記憶部と、
前記記録予約情報の指定と、前記予約消去制限者情報の入力と、を受け付ける予約消去制限者情報入力部と、
前記予約消去制限者情報入力部により入力された前記予約消去制限者情報を、指定された前記記録予約情報に対応付けて前記予約情報記憶部に記録する予約消去制限者情報更新部と、
前記予約情報記憶部に記憶されている前記記録予約情報に前記予約消去制限者情報が対応付けられている場合、前記記録予約情報の消去を制限する記録予約消去制限部と、
を備え、
前記予約情報記憶部は、前記記録予約情報が複数含まれる記録予約セットと、その記録予約の消去を制限する者を示す予約消去制限者情報とを対応付けて記憶し、
前記視聴情報記憶部は、前記記録予約セットを識別するセットＩＤと、前記記録予約セットに含まれる前記記録予約情報に従って記録されたコンテンツを示す前記コンテンツ情報と、そのコンテンツの消去を制限する者を示すコンテンツ消去制限者情報とを対応付けて記憶し、
前記予約消去制限者情報更新部は、前記指定されたコンテンツを特定するコンテンツ情報に対応付けられた前記セットＩＤを特定するとともに、前記セットＩＤにより特定される前記記録予約セットに、前記入力されたコンテンツ消去制限者情報を、前記予約消去制限者情報として対応付けて、前記予約情報記憶部に記録し、
前記記録予約消去制限部は、前記記録予約セットに前記予約消去制限者情報が対応付けられている場合、前記記録予約セットの消去を制限する、
ことを特徴とする。
【００１２】
本発明の第２の観点に係る記憶装置は、
記録予約により番組コンテンツが記録される記録媒体と、
前記記録媒体に記録されたコンテンツを特定するコンテンツ情報とそのコンテンツの消去を制限する者を示すコンテンツ消去制限者情報とを対応付けて記憶する視聴情報記憶部と、
前記記録媒体に記録されたコンテンツの指定と前記コンテンツ消去制限者情報の入力と、を受け付けるコンテンツ消去制限者情報入力部と、
前記コンテンツ消去制限者情報入力部により入力された前記コンテンツ消去制限者情報を、指定されたコンテンツを特定する前記コンテンツ情報に対応付けて前記視聴情報記憶部に記録する視聴情報更新部と、
前記視聴情報記憶部に記憶されている前記コンテンツ情報に前記コンテンツ消去制限者情報が対応付けられている場合に、前記コンテンツ情報が示すコンテンツの前記記録媒体からの消去を制限するコンテンツ消去制限部と、
前記記録予約を設定する記録予約情報と、その記録予約の消去を制限する者を示す予約消去制限者情報とを対応付けて記憶する予約情報記憶部と、
前記記録予約情報の指定と、前記予約消去制限者情報の入力と、を受け付ける予約消去制限者情報入力部と、
前記予約消去制限者情報入力部により入力された前記予約消去制限者情報を、指定された前記記録予約情報に対応付けて前記予約情報記憶部に記録する予約消去制限者情報更新部と、
前記予約情報記憶部に記憶されている前記記録予約情報に前記予約消去制限者情報が対応付けられている場合、前記記録予約情報の消去を制限する記録予約消去制限部と、
を備え、
前記予約情報記憶部は、前記記録予約情報が複数含まれる記録予約セットと前記予約消去制限者情報とを対応付けて記憶し、
前記予約消去制限者情報入力部は、前記記録予約セットの指定と前記予約消去制限者情報の入力と、を受け付け、
前記予約消去制限者情報更新部は、前記予約消去制限者情報入力部により入力された予約消去制限者情報を、前記指定された記録予約セットに対応付けて前記予約情報記憶部に記録し、
前記視聴情報記憶部は、前記記録予約セットを識別するセットＩＤと、前記記録予約セットに含まれる前記記録予約情報に従って記録されたコンテンツを示すコンテンツ情報と、前記記録されたコンテンツの消去を制限する者を示すコンテンツ消去制限者情報とを対応付けて記憶し、
前記視聴情報更新部は、前記指定された前記記録予約セットに対応するセットＩＤを特定するとともに、前記セットＩＤに対応付けられた前記コンテンツ情報を特定して、前記コンテンツ情報に、前記入力された予約消去制限者情報を、前記コンテンツ消去制限者情報として対応付けて、前記視聴情報記憶部に記録する、
ことを特徴とする。
【００１３】
例えば、前記記録予約セットに含まれる記録予約情報は、曜日ないしは週が異なりほぼ同一の時刻から連続して放送されるいわゆる連続番組またはシリーズ番組の記録予約を設定する。
【００１４】
例えば、前記視聴情報記憶部は、前記コンテンツ情報及び前記コンテンツ消去制限者情報と、前記記録媒体に記録されたコンテンツの再生停止位置を示すレジューム情報とを対応付けて記憶する。
【００１５】
本発明の第３の観点に係るコンテンツの管理方法は、
コンテンツを管理するために、記録装置によって実行される方法であって、
記録されたコンテンツを示すコンテンツ情報とそのコンテンツの消去を制限する者を示すコンテンツ消去制限者情報とを対応付けて記憶する視聴情報記憶段階と、
コンテンツ消去制限者情報を入力し、コンテンツ情報に対応付けることで、記憶されている前記コンテンツ消去制限者情報を更新するコンテンツ消去制限者情報更新段階と、
前記コンテンツ情報に前記コンテンツ消去制限者情報が対応付けられている場合、前記コンテンツ情報が示すコンテンツの消去を制限するコンテンツ消去制限段階と、
記録予約を設定する記録予約情報と、その記録予約の消去を制限する者を示す予約消去制限者情報とを対応付けて記憶する予約情報記憶段階と、
前記記録予約情報の指定と、前記予約消去制限者情報の入力と、を受け付ける予約消去制限者情報入力段階と、
前記予約消去制限者情報入力段階で入力された前記予約消去制限者情報を、指定された前記記録予約情報に対応付けて記録する予約消去制限者情報更新段階と、
前記予約情報記憶段階で記憶された前記記録予約情報に前記予約消去制限者情報が対応付けられている場合、前記記録予約情報の消去を制限する記録予約消去制限段階と、
を備え、
前記予約情報記憶段階では、前記記録予約情報が複数含まれる記録予約セットと、その記録予約の消去を制限する者を示す予約消去制限者情報とを対応付けて記憶し、
前記視聴情報記憶段階では、前記記録予約セットを識別するセットＩＤと、前記記録予約セットに含まれる前記記録予約情報に従って記録されたコンテンツを示す前記コンテンツ情報と、そのコンテンツの消去を制限する者を示すコンテンツ消去制限者情報とを対応付けて記憶し、
前記予約消去制限者情報更新段階では、前記コンテンツ情報に対応付けられた前記セットＩＤを特定するとともに、前記セットＩＤにより特定される前記記録予約セットに、前記入力されたコンテンツ消去制限者情報を、前記予約消去制限者情報として対応付けて記録し、
前記記録予約消去制限段階では、前記記録予約セットに前記予約消去制限者情報が対応付けられている場合、前記記録予約セットの消去を制限する、
ことを特徴とする。
【００１６】
本発明の第４の観点に係るコンテンツの管理方法は、
コンテンツを管理するために、記録装置によって実行される方法であって、
記録されたコンテンツを示すコンテンツ情報とそのコンテンツの消去を制限する者を示すコンテンツ消去制限者情報とを対応付けて記憶する視聴情報記憶段階と、
コンテンツ消去制限者情報を入力し、コンテンツ情報に対応付けることで、記憶されている前記コンテンツ消去制限者情報を更新するコンテンツ消去制限者情報更新段階と、
前記コンテンツ情報に前記コンテンツ消去制限者情報が対応付けられている場合、前記コンテンツ情報が示すコンテンツの消去を制限するコンテンツ消去制限段階と、
記録予約を設定する記録予約情報と、その記録予約の消去を制限する者を示す予約消去制限者情報とを対応付けて記憶する予約情報記憶段階と、
前記記録予約情報の指定と、前記予約消去制限者情報の入力と、を受け付ける予約消去制限者情報入力段階と、
前記予約消去制限者情報入力段階で入力された前記予約消去制限者情報を、指定された前記記録予約情報に対応付けて記録する予約消去制限者情報更新段階と、
前記予約情報記憶段階で記憶された前記記録予約情報に前記予約消去制限者情報が対応付けられている場合、前記記録予約情報の消去を制限する記録予約消去制限段階と、
を備え、
前記予約情報記憶段階では、前記記録予約情報が複数含まれる記録予約セットと前記予約消去制限者情報とを対応付けて記憶し、
前記予約消去制限者情報入力段階では、前記記録予約セットの指定と前記予約消去制限者情報の入力と、を受け付け、
前記予約消去制限者情報更新段階では、前記予約消去制限者情報入力段階で入力された予約消去制限者情報を、前記指定された記録予約セットに対応付けて記録し、
前記視聴情報記憶段階では、前記記録予約セットを識別するセットＩＤと、前記記録予約セットに含まれる前記記録予約情報に従って記録されたコンテンツを示すコンテンツ情報と、前記記録されたコンテンツの消去を制限する者を示すコンテンツ消去制限者情報とを対応付けて記憶し、
前記コンテンツ消去制限者情報更新段階では、前記指定された前記記録予約セットに対応するセットＩＤを特定するとともに、前記セットＩＤに対応付けられた前記コンテンツ情報を特定して、前記コンテンツ情報に、前記入力された予約消去制限者情報を、前記コンテンツ消去制限者情報として対応付けて記録する、
ことを特徴とする。
【００１７】
本発明の第５の観点に係るプログラムは、
記録装置が備えるコンピュータに、
記録されたコンテンツを示すコンテンツ情報とそのコンテンツの消去を制限する者を示すコンテンツ消去制限者情報とを対応付けて記憶する視聴情報記憶段階、
コンテンツ消去制限者情報を入力し、コンテンツ情報に対応付けることで、記憶されている前記コンテンツ消去制限者情報を更新するコンテンツ消去制限者情報更新段階、
前記コンテンツ情報に前記コンテンツ消去制限者情報が対応付けられている場合、前記コンテンツ情報が示すコンテンツの消去を制限するコンテンツ消去制限段階、
記録予約を設定する記録予約情報と、その記録予約の消去を制限する者を示す予約消去制限者情報とを対応付けて記憶する予約情報記憶段階、
前記記録予約情報の指定と、前記予約消去制限者情報の入力と、を受け付ける予約消去制限者情報入力段階、
前記予約消去制限者情報入力段階で入力された前記予約消去制限者情報を、指定された前記記録予約情報に対応付けて記録する予約消去制限者情報更新段階、
前記予約情報記憶段階で記憶された前記記録予約情報に前記予約消去制限者情報が対応付けられている場合、前記記録予約情報の消去を制限する記録予約消去制限段階、
を実行させ、
前記予約情報記憶段階では、前記記録予約情報が複数含まれる記録予約セットと、その記録予約の消去を制限する者を示す予約消去制限者情報とを対応付けて記憶し、
前記視聴情報記憶段階では、前記記録予約セットを識別するセットＩＤと、前記記録予約セットに含まれる前記記録予約情報に従って記録されたコンテンツを示す前記コンテンツ情報と、そのコンテンツの消去を制限する者を示すコンテンツ消去制限者情報とを対応付けて記憶し、
前記予約消去制限者情報更新段階では、前記コンテンツ情報に対応付けられた前記セットＩＤを特定するとともに、前記セットＩＤにより特定される前記記録予約セットに、前記入力されたコンテンツ消去制限者情報を、前記予約消去制限者情報として対応付けて記録し、
前記記録予約消去制限段階では、前記記録予約セットに前記予約消去制限者情報が対応付けられている場合、前記記録予約セットの消去を制限する、
ことを特徴とする。
【００１８】
本発明の第６の観点に係るプログラムは、
記録装置が備えるコンピュータに、
記録されたコンテンツを示すコンテンツ情報とそのコンテンツの消去を制限する者を示すコンテンツ消去制限者情報とを対応付けて記憶する視聴情報記憶段階、
コンテンツ消去制限者情報を入力し、コンテンツ情報に対応付けることで、記憶されている前記コンテンツ消去制限者情報を更新するコンテンツ消去制限者情報更新段階、
前記コンテンツ情報に前記コンテンツ消去制限者情報が対応付けられている場合、前記コンテンツ情報が示すコンテンツの消去を制限するコンテンツ消去制限段階、
記録予約を設定する記録予約情報と、その記録予約の消去を制限する者を示す予約消去制限者情報とを対応付けて記憶する予約情報記憶段階、
前記記録予約情報の指定と、前記予約消去制限者情報の入力と、を受け付ける予約消去制限者情報入力段階、
前記予約消去制限者情報入力段階で入力された前記予約消去制限者情報を、指定された前記記録予約情報に対応付けて記録する予約消去制限者情報更新段階、
前記予約情報記憶段階で記憶された前記記録予約情報に前記予約消去制限者情報が対応付けられている場合、前記記録予約情報の消去を制限する記録予約消去制限段階、
を実行させ、
前記予約情報記憶段階では、前記記録予約情報が複数含まれる記録予約セットと前記予約消去制限者情報とを対応付けて記憶し、
前記予約消去制限者情報入力段階では、前記記録予約セットの指定と前記予約消去制限者情報の入力と、を受け付け、
前記予約消去制限者情報更新段階では、前記予約消去制限者情報入力段階で入力された予約消去制限者情報を、前記指定された記録予約セットに対応付けて記録し、
前記視聴情報記憶段階では、前記記録予約セットを識別するセットＩＤと、前記記録予約セットに含まれる前記記録予約情報に従って記録されたコンテンツを示すコンテンツ情報と、前記記録されたコンテンツの消去を制限する者を示すコンテンツ消去制限者情報とを対応付けて記憶し、
前記コンテンツ消去制限者情報更新段階では、前記指定された前記記録予約セットに対応するセットＩＤを特定するとともに、前記セットＩＤに対応付けられた前記コンテンツ情報を特定して、前記コンテンツ情報に、前記入力された予約消去制限者情報を、前記コンテンツ消去制限者情報として対応付けて記録する、
ことを特徴とする。
【発明の効果】
【００１９】
本発明によれば、コンテンツは、コンテンツ消去制限者情報によって、その消去が制限される。よって、自己のコンテンツ消去制限者情報を希望のコンテンツに対応付けて記憶させることで、他者による希望コンテンツの消去を防止できる。
【００２０】
また、本発明によれば、記録予約は、予約消去制限者情報によって、その消去が制限される。よって、自己の予約消去制限者情報を希望の記録予約に対応付けて記憶させることで、他者による希望記録予約の消去を防止できる。
【図面の簡単な説明】
【００２１】
【図１】本発明の実施の形態１に係る記録装置の構成を示すブロック図である。
【図２】実施の形態１に係る記録装置の機能的構成を示すブロック図である。
【図３】予約情報テーブルを示す図である。
【図４】記録予約セットテーブルを示す図である。
【図５】図３や図４のテーブルを用いて表示されるＧＵＩ画面を示す図である。
【図６】図３や図４のテーブルに基づき表示されるＧＵＩ画面を示す図である。
【図７】ユーザリストテーブルを示す図である。
【図８】視聴情報テーブルを示す図である。
【図９】図８の視聴情報テーブルに基づき表示されるＧＵＩ画面を示す図である。
【図１０】図８の視聴情報テーブルに基づき表示されるＧＵＩ画面を示す図である。
【図１１】制限者情報登録処理を示すフロチャートである。
【図１２】図８の視聴情報テーブルに基づき表示されるＧＵＩ画面を示す図である。
【図１３】コンテンツ消去制限者情報が更新された視聴情報テーブルを示す図である。
【図１４】図８の視聴情報テーブルに基づき表示されるＧＵＩ画面を示す図である。
【図１５】図１３の視聴情報テーブルに基づき表示されるＧＵＩ画面を示す図である。
【図１６】図８の視聴情報テーブルに基づき表示されるＧＵＩ画面を示す図である。
【図１７】コンテンツ消去制限者情報が更新された視聴情報テーブルを示す図である。
【図１８】予約消去制限者情報が更新された予約情報テーブルを示す図である。
【図１９】図８の視聴情報テーブルに基づき表示されるＧＵＩ画面を示す図である。
【図２０】図１７や図１８のテーブルに基づき表示されるＧＵＩ画面を示す図である。
【図２１】図１７や図１８のテーブルに基づき表示されるＧＵＩ画面を示す図である。
【図２２】予約消去制限処理を示すフロチャートである。
【図２３】コンテンツ消去制限処理を示すフロチャートである。
【図２４】本発明の実施の形態２に係る記録装置の機能的構成を示すブロック図である。
【図２５】コンテンツ消去制限処理を示すフロチャートである。
【図２６】図３や図４のテーブルに基づき表示されるＧＵＩ画面を示す図である。
【図２７】予約消去制限者情報が更新された予約情報テーブルを示す図である。
【図２８】図３や図４のテーブルに基づき表示されるＧＵＩ画面を示す図である。
【図２９】図２７の予約情報テーブルに基づき表示されるＧＵＩ画面を示す図である。
【図３０】図３や図４のテーブルに基づき表示されるＧＵＩ画面を示す図である。
【図３１】図３や図４のテーブルに基づき表示されるＧＵＩ画面を示す図である。
【発明を実施するための形態】
【００２２】
以下、本発明の実施の形態に係る記録装置、コンテンツの管理方法、及びプログラムを、図面を参照して説明する。なお図中、同一または同等の部分には同一の符号を付す。
【００２３】
（実施の形態１）
まず、実施の形態１に係る記録装置と方法を番組コンテンツを記録する録画装置を例に説明する。実施の形態１に係る録画装置１は、テレビ放送のコンテンツを記録（録画（録音を含む））するものであり、図１に示すように、チューナ部２と、ＤＥＭＵＸ（Demultiplexer）部３と、オーディオデコーダ４と、音声制御部５と、音声出力部６と、ビデオデコーダ７と、映像制御部８と、映像出力部９と、エンコーダ１０と、記憶部１１と、制御部１２と、ＲＯＭ（Read Only Memory）１３と、ＲＡＭ（Random Access Memory）１４と、操作部１５と、通信部１６と、これらを相互に接続する内部バス１８と、を備える。
【００２４】
チューナ部２は、デジタル放送を受信して、トランスポートストリームを出力する。
【００２５】
ＤＥＭＵＸ部３は、チューナ部２から出力されたトランスポートストリームに含まれる複数のパケットを、オーディオパケット、ビデオパケット、データパケットに分離する。
【００２６】
オーディオデコーダ４は、ＤＥＭＵＸ部３で分離されたオーディオパケットに含まれるＭＰＥＧ（Moving Picture Experts Group）圧縮された音声データを復調する。
【００２７】
音声制御部５は、オーディオデコーダ４から出力された音声データと、内部バス１８を通して得られる音声データとを切り替え、或いは合成して、音声出力部６へ出力する。
【００２８】
音声出力部６は、音声制御部５から出力された音声データを増幅して、図示しないスピーカにより音声を出力する。
【００２９】
ビデオデコーダ７は、ＤＥＭＵＸ部３で分離されたビデオパケットに含まれるＭＰＥＧ圧縮された映像データを復調して、デジタル映像データを映像制御部８に出力する。
【００３０】
映像制御部８は、表示設定や音量設定等のためのＧＵＩ画面を、ビデオデコーダ７から出力されるデジタル映像データに合成して、映像出力部９に出力する。
【００３１】
映像出力部９は、映像制御部８から出力された映像データをテレビモニタ等の映像出力装置に出力する。
【００３２】
エンコーダ１０は、デジタル音声データ及びデジタル映像データを所定の記録形式に変調する。
【００３３】
記憶部１１は、例えばハードディスクドライブ等の記憶装置または記憶媒体からなる。記憶部１１は、エンコーダ１０によりエンコードされたデジタル音声データ及びデジタル映像データをハードディスク等に記録し、また、ハードディスク等に記録された番組コンテンツの再生を再生し、内部バス１８を介してオーディオデコーダ４、ビデオデコーダ７に送信する。ハードディスク等には、記録予約を設定するための記録予約情報や記録予約情報に基づき録画された番組コンテンツを示す情報等も記憶される。
【００３４】
ＲＯＭ１３は、制御部１２を動作させる制御プログラムや各種のデータを記憶する。
【００３５】
ＲＡＭ１４は、制御部１２により読み出され、ＲＯＭ１３に格納されているプログラムを一旦格納し、制御部１２のワークエリアとして機能する。
【００３６】
操作部１５は、図示しないリモコンや操作スイッチ等の操作により入力される指示を受けて、この指示に対応する信号を制御部１２に入力する。リモコンは、例えばチャンネルを指定するためのキー、音量を調整するためのキー、録画装置１の電源をオン・オフするためのキーなどから構成される。ユーザは、リモコンを操作することで、チャンネル指定や音量設定等の操作を行うことができる。また、ユーザは、映像制御部８により表示されるＧＵＩ画面を見ながら、リモコンを操作することで、コンテンツの指定や記録予約の設定を行うことができる。
【００３７】
通信部１６は、ネットワークと接続するためのインターフェースである。録画装置１は、通信部１６を通じたネットワーク接続により、他の機器と情報の送受信を行うことができる。
【００３８】
制御部１２は、ＣＰＵ（Central Processing Unit）等のプロセッサ等から構成される。制御部１２は、ＲＯＭ１３に記憶される制御プログラムを実行して、録画装置１全体の動作を制御する。
【００３９】
上記構成を有する録画装置１は、図２に示すように、予約情報記憶部２０と、視聴情報記憶部２１と、予約消去制限者情報更新部３０と、コンテンツ消去制限者情報入力部３１と、視聴情報更新部３２と、記録予約消去制限部５０と、コンテンツ消去制限部５１とを、機能的に構成する。これら各部は、制御プログラムが、図１に示す各部をハードウエア資源として用いて処理することで実現される。
【００４０】
予約情報記憶部２０は、図３に示す予約情報テーブルを記憶する。予約情報テーブルは、記録予約の内容を特定する情報を格納するテーブルであり、記録予約情報、記録予約セット、予約ＩＤ、及び予約消去制限者情報が登録されている。記録予約情報や記録予約セットは、ユーザの予約操作により入力される情報である。記録予約情報や記録予約セットには、それぞれ、予約ＩＤや予約消去制限者情報が対応付けられる。
【００４１】
記録予約情報は、単独のコンテンツの記録予約を設定する情報である。記録予約情報は、コンテンツの番組名、記録開始時刻、記録終了時刻、コンテンツが放送される曜日、及びコンテンツを放送する放送局の項目を含む。例えば、図３の予約情報テーブルの１行目には、放送局Ａが５月１５日（木）１８：００〜１８：４５に放送する単独の番組ＡＡＡを記録予約する記録予約情報が記録される。
【００４２】
記録予約セットは、上述の記録予約情報を複数含む情報であり、これら記録予約情報は、後述の記録予約セットテーブル（図４）に記録される。記録予約セットテーブルの各記録予約情報は、連続番組又はシリーズ番組のコンテンツの記録予約を設定する。連続番組やシリーズ番組は、曜日ないしは週が異なりほぼ同一の時刻から連続して放送される番組である。
【００４３】
例えば、図３の予約情報テーブルの２行目には、放送局Ｇが毎日放送する連続番組ＢＢＢを記録予約する記録予約セットが記録される。２行目の記録予約セットには、次回放送日（記録予約日）５月１５日（木）と、放送時間（記録予約時間）０８：２５〜０８：４０とが示される。
【００４４】
予約ＩＤは、記録予約情報と記録予約セットとを識別するＩＤである。記録予約情報と記録予約セットには、識別を容易にするため、異なる桁数の値が割り当てられている。図３の例では、記録予約情報には１桁の予約ＩＤ「１」，「２」，「３」，「４」が対応付けられる。記録予約セットには２桁の予約ＩＤ「１０」，「２０」が対応付けられる。
【００４５】
なお、予約ＩＤの値は、予約情報テーブルに記録される情報の数に応じて任意に設定される。また、記録予約情報と記録予約セットとを識別する方法は、上述の桁数による方法に限られない。例えば、記録予約情報に対応付ける予約ＩＤが、ある閾値以上の値に設定され、記録予約セットに対応付ける予約ＩＤが、上記閾値よりも小さく設定されることで、記録予約情報と記録予約セットとが識別可能とされてもよい。
【００４６】
予約消去制限者情報は、記録予約の消去を制限する者（以下、予約消去制限者）を、有効フラグ「○」により設定する情報である。例えば、４行目の記録予約セットには、ユーザ１の有効フラグが対応付けられている。これは、ユーザ１が、番組ＣＣＣの記録予約の予約消去制限者として登録されていることを示す。なお、図３は、４名のユーザ１〜４を予約消去制限者として登録できる例を示すが、予約消去制限者として登録されるユーザの数は任意に設定可能である。
【００４７】
予約情報テーブルにおける有効フラグ（予約消去制限者情報）の登録・削除は、ユーザが操作部１５を操作することで行われる。つまり、ユーザは、コンテンツの記録予約の予約消去制限者として自身を登録する操作を行うことができる。この操作が行われた場合、操作を行ったユーザの有効フラグが、上記視聴を望むコンテンツの記録予約を設定する記録予約情報や記録予約セットに対応付けられる。また、ユーザは、予約消去制限者から自身を除外する操作を行うことができる。この操作が行われた場合、記録予約情報や記録予約セットに対応付けられたユーザの有効フラグが削除される。
【００４８】
図２に示す予約情報記憶部２０には、図４に示す記録予約セットテーブルが記憶される。記録予約セットテーブルには、記録予約セットに含まれる記録予約情報と、予約ＩＤとが対応付けて記録される。記録予約セットテーブルに含まれる記録予約情報は、コンテンツの番組名、コンテンツの放送回・放送日、記録開始時刻（放送開始時刻）、及び記録終了時刻（放送終了時刻）の項目を含む。
【００４９】
予約ＩＤは、記録予約セットテーブルに記録された記録予約情報と、図３に示す予約情報テーブルに記録された記録予約セットとを関連付けるキーである。図４のテーブルは、図３の４行目の記録予約セットに含まれる記録予約情報が記録されたものである。各記録予約情報は、予約ＩＤ「２０」が付されることで、図３の４行目の記録予約セットと関連付けられている。
【００５０】
図５，図６は、図３や図４に示すテーブルが用いられてテレビモニタに表示されるＧＵＩ画面を示す。図５，図６のＧＵＩ画面には、予約消去制限者が登録された記録予約が表示される。
【００５１】
図５（ａ）の画面では、ユーザ１が予約消去制限者に登録されたコンテンツ、つまり、図３の予約情報テーブルで、ユーザ１の有効フラグ「○」が対応付けられたコンテンツ（番組ＡＡＡ・番組ＢＢＢ・番組ＣＣＣ・番組ＤＤＤのコンテンツ）の記録予約が表示されている。
【００５２】
記録予約セットにより記録予約される番組ＣＣＣや番組ＢＢＢの欄には、「曜日」や「毎日」が表示される。「曜日」は、予約情報テーブル（図３）の４行目の予約ＩＤ「２０」が２桁であるため、予約ＩＤ「２０」から図４の記録予約セットテーブルが特定され、さらに図４のテーブルに記録された放送日が全て火曜日であることが特定されることで、表示されるものである。ユーザは、「曜日」の表示により、番組ＣＣＣの記録予約が毎週行われていることを知ることができる。
【００５３】
「毎日」は、図３の予約情報テーブルの２行目の予約ＩＤ「１０」が２桁であることで、予約ＩＤ「１０」の付された記録予約セットテーブル（図示せず）が特定され、さらに、記録予約セットテーブルに記録された放送日が連続する日であることが特定されることで、表示されるものである。ユーザは、「毎日」の表示により、番組ＢＢＢの記録予約が毎日行われていることを知ることができる。
【００５４】
図５（ｂ）の画面では、ユーザ３が予約消去制限者に登録されたコンテンツ、つまり、図３の予約情報テーブルで、ユーザ３の有効フラグ「○」が対応付けられたコンテンツ（番組ＤＤＤ・番組ＦＦＦのコンテンツ）の記録予約が表示されている。
【００５５】
図６の画面では、番組コンテンツを表示する欄の右端には、スライドバーＳが表示される。ユーザは、操作部１５によりスライドバーＳを操作することで、表示されていない番組コンテンツの一覧を参照することができる。
【００５６】
また図６の画面では、予約消去制限者が登録された全てのコンテンツ、つまり、図３の予約情報テーブルで、有効フラグ「○」が対応付けられたコンテンツの情報が表示される。図６の画面において、番組コンテンツを表示する欄の右端には、予約消去制限者を示すカラー付箋Ｆが表示される。
【００５７】
カラー付箋Ｆは、予約情報テーブル（図３）の予約消去制限者情報に基づき表示される。例えば、放送番組ＡＡＡの欄では、ユーザ１，４が予約消去制限者であることを示すカラー付箋Ｆ１，Ｆ４が表示されている。これは、予約情報テーブル（図３）の１行目に、ユーザ１，４の有効フラグ「○」が付されているため表示されるものである。
【００５８】
カラー付箋Ｆは、図７に示すユーザリストテーブルに記録された色で表示される。例えば、ユーザ１に対応するカラー付箋Ｆ１は、青色で表示される。ユーザは、カラー付箋Ｆの表示により、自身や他のユーザが記録予約している番組コンテンツを知ることができる。図７のユーザリストテーブルは、例えば図２に示す視聴情報記憶部２１に記憶される。
【００５９】
また図５（ａ），図５（ｂ），図６の画面には、情報の表示対象となるユーザを示すボタンＢが表示される。図５（ａ），図５（ｂ）の画面では、各ユーザに対応するボタンＢが重畳されており、これらボタンＢのうち、情報の表示対象となるユーザ１，３のボタンＢ１，Ｂ３が前面に表示されている。図６の画面では、情報の表示対象が全ユーザであるため、全ユーザの名称が付されたボタンＢが表示されている。ユーザは、操作部１５のリモコンを用いて、ボタンＢを指定したり、リモコンの専用ボタンキーを操作することで、図５（ａ），図５（ｂ），図６の画面を切り替えることができる。
【００６０】
ボタンＢは、図７に示すユーザリストテーブルに登録された色で表示される。図７のテーブルによれば、ユーザ１，２，３，４に対応するボタンＢ１，Ｂ２，Ｂ３，Ｂ４は、それぞれ青赤緑黄で表示される。なお、ボタンＢの色は、リモコン等に設けられる専用ボタンキーと同じ色に設定される。この場合、専用ボタンキーの操作によっても、図５（ａ），図５（ｂ），図６の画面が切り替えられる。例えば、青色の専用ボタンキーが押された場合には、情報の表示対象がユーザ１である図５（ａ）の画面に切り替えられる。
【００６１】
また視聴情報記憶部２１（図２）には、図８に示す視聴情報テーブルが記録される。視聴情報テーブルには、コンテンツ情報と、セットＩＤと、コンテンツ消去制限者情報と、レジューム情報とが対応付けて記録される。
【００６２】
コンテンツ情報は、録画装置１に記録されたコンテンツを示す情報である。図８の１〜３行目のコンテンツ情報は、ダイレクトに記録されたコンテンツや、単独の記録予約により記録されたコンテンツを示す。図８の４，５行目のコンテンツ情報は、図３の４行目の記録予約セットにより記録されたコンテンツを示す。
【００６３】
セットＩＤは、記録予約セットにより記録されたコンテンツと、それ以外のコンテンツとを、桁数により識別するＩＤである。図８のテーブルの４，５行目には、記録予約セットにより記録されたコンテンツが示されており、４，５行目では、３桁のセットＩＤ「２０１」，「２０２」が記録されている。図８のテーブルの１〜３行目には、単独の記録予約等により記録されたコンテンツ等が示されており、１〜３行では、１桁のセットＩＤ「０」が記録されている。
【００６４】
３桁のセットＩＤは、図８のテーブルに記録されたコンテンツ情報と、図３の予約情報テーブルに記録された記録予約セットとを関連付けるキーである。例えば、図８の４，５行目のセットＩＤ「２０１」「２０２」は、図３の４行目の予約ＩＤ「２０」を上二桁に含む。この関係から、図８の４，５行目に示される番組ＣＣＣのコンテンツは、図３の４行目の記録予約セットにより記録されたものであることが特定可能とされる。
【００６５】
コンテンツ消去制限者情報は、録画装置１に記録されたコンテンツの消去を制限する者（以下、コンテンツ消去制限者）を、有効フラグ「○」により設定する情報である。例えば、４行目のユーザ１の有効フラグは、５月６日（火）２０：００〜２０：５５に記録されたコンテンツのコンテンツ消去制限者として、ユーザ１が登録されていることを示す。
【００６６】
視聴情報テーブルにおける有効フラグ（コンテンツ消去制限者情報）の登録・削除は、ユーザが操作部１５を操作することで行われる。すなわち、ユーザは、記録されたコンテンツに係るコンテンツ消去制限者として自身を登録する操作を操作部１５に行うことができる。この操作が行われた場合、操作を行ったユーザの有効フラグが、コンテンツ情報に対応付けられる。また、ユーザは、コンテンツ消去制限者から自身を除外する操作を行うことができる。この操作が行われた場合、コンテンツ情報に対応付けられたユーザの有効フラグが削除される。
【００６７】
レジューム情報は、記録されたコンテンツの再生停止位置をユーザ毎に示す情報である。例えば、図８の４行目では、ユーザ１についてのレジューム情報として、「８ｍ９ｓ」が登録されている。これは、ユーザ１が、５月６日（火）２０：００〜２０：５５に記録されたコンテンツを、８分９秒間再生した後、停止したことを示す。
【００６８】
図９，図１０は、図８の視聴情報テーブルが用いられてテレビモニタに表示されるＧＵＩ画面を示す。図９，図１０の画面には、コンテンツ消去制限者が登録されたコンテンツが表示される。図９，図１０の画面は、図８の視聴情報テーブルに有効フラグ（コンテンツ消去制限者情報）を登録するために使用される。
【００６９】
図９（ａ）の画面では、ユーザ１がコンテンツ消去制限者に登録されているコンテンツの一覧が示される。番組ＨＨＨの欄は、視聴情報テーブル（図８）の１行目に、ユーザ１の有効フラグが付されていることで表示される。番組ＨＨＨの欄には、番組ＨＨＨの記録時間や放送局を示す「04/28（月)23:15〜23:45  放送局Ｋ」が含まれる。これは、視聴情報テーブルの１行目のセットＩＤが「０」であることから、１行目のコンテンツ情報が取得されて表示されるものである。この表示により、ユーザは、番組ＨＨＨのコンテンツが、ダイレクトに記録され、或いは、単独の予約により記録されたものであることを知ることができる。
【００７０】
番組ＣＣＣの欄は、視聴情報テーブル（図８）の４，５行目に、ユーザ１の有効フラグが付されていることで表示される。この番組ＣＣＣの欄には、「２番組」が表示されている。これは、視聴情報テーブルで、セットＩＤの上二桁が「２０」を示す４，５行の数がカウントされて表示されるものである。ユーザは、「２番組」の表示により、番組ＣＣＣが連続番組であることや、番組ＣＣＣの２回分のコンテンツが録画装置１に記録されていることを知ることができる。
【００７１】
図９（ｂ）の画面は、図９（ａ）の画面が表示されているときに、ユーザが操作部１５を操作して、番組ＣＣＣの欄を選択することで表示される。図９（ｂ）の画面では、番組ＣＣＣの表示が、５月６日（火）の放送分の情報を示す表示と、５月１３日（火）の放送分の情報を示す表示とに展開されている。この展開表示は、視聴情報テーブル（図８）で、セットＩＤの上二桁が「２０」である行（４，５行目）のコンテンツ情報が取得されることで行われる。この展開表示により、ユーザは、５月６日（火）や５月１３日（火）に放送された番組ＣＣＣのコンテンツが、録画装置１に記録されていることを知ることができる。
【００７２】
図９（ｃ）の画面では、ユーザ３がコンテンツ消去制限者として登録されているコンテンツの一覧が示される。放送番組ＳＳＳの欄は、図８の視聴情報テーブルの２行目に、ユーザ３の有効フラグが付されていることで表示される。放送番組ＳＳＳの欄には、放送番組ＳＳＳの記録時間等を示す「05/05（月)18:00〜18:55  放送局Ａ」が含まれる。これは、視聴情報テーブル（図８）の２行目のセットＩＤが「０」であることから、図８のテーブルの２行目のコンテンツ情報が取得されて表示されるものである。
【００７３】
図１０の画面では、コンテンツ消去制限者が登録された全てのコンテンツ、つまり、図８の視聴情報テーブルで、有効フラグ「○」が対応付けられたコンテンツの情報が表示される。コンテンツを表示する欄の右端には、コンテンツ消去制限者を示すカラー付箋Ｆが表示される。カラー付箋Ｆは、視聴情報テーブルに記録されたコンテンツ消去制限者情報に基づき表示される。
【００７４】
例えば、番組ＨＨＨの欄では、ユーザ１，４がコンテンツ消去制限者であることを示すカラー付箋Ｆ１，Ｆ４が表示されている。これは、視聴情報テーブル（図８）の１行目で、ユーザ１，４の有効フラグが付されていることで表示されるものである。なお、各ユーザのカラー付箋Ｆは、ユーザリストテーブル（図７）で、各ユーザに対して登録された色で表示される。
【００７５】
また、コンテンツを表示する欄の右端には、スライドバーＳが表示される。ユーザは、操作部１５によりスライドバーＳを操作することで、表示されていない番組欄を参照することができる。
【００７６】
図９，図１０の画面には、情報の表示対象となるユーザを示すボタンＢが表示される。図９（ａ），（ｂ），（Ｃ）の画面では、各ユーザに対応するボタンＢが重畳されており、これらボタンＢのうち、情報の表示対象となるユーザ１，３のボタンＢ１，Ｂ３が前面に表示されている。図１０の画面では、情報の表示対象が全ユーザであるため、全ユーザの名称が付されたボタンＢが表示されている。ユーザは、操作部１５のリモコンを用いて、ボタンＢを指定したり、リモコンの専用ボタンキーを操作することで、図９，図１０の画面を切り替えることができる。ボタンＢは、図７のユーザリストテーブルに登録された色で表示される。
【００７７】
図２に示す構成において、予約消去制限者情報更新部３０、コンテンツ消去制限者情報入力部３１、視聴情報更新部３２、記録予約消去制限部５０、及びコンテンツ消去制限部５１は、予約情報記憶部２０や視聴情報記憶部２１に記憶された情報に基づき、コンテンツを管理する処理を実行する。
【００７８】
以下、予約消去制限者情報更新部３０、コンテンツ消去制限者情報入力部３１、及び視聴情報更新部３２により実行される制限者情報登録処理を、図１１を用いて説明する。図１１の制限者情報登録処理は、予約消去制限者情報を予約情報テーブル（図３）に記録し、コンテンツ消去制限者情報を視聴情報テーブル（図８）に記録するための処理である。図１１の処理は、ユーザが操作部１５を用いて、処理を開始する操作を実行することに応じて実行される。
【００７９】
まず、コンテンツ消去制限者情報入力部３１は、図８の視聴情報テーブルに示されるコンテンツの指定を受け付ける（ステップＳ１０１）。
【００８０】
ついで、コンテンツ消去制限者情報入力部３１は、コンテンツ消去制限者情報の入力を受け付ける（ステップＳ１０２）。
【００８１】
上記のステップＳ１０１，Ｓ１０２では、図８の視聴情報テーブルに基づき、操作以外の者がコンテンツ消去制限者に登録されたコンテンツを示すＧＵＩ画面（例えば図９（ａ）の画面）や、コンテンツ消去制限者が登録されている全てのコンテンツを示すＧＵＩ画面（例えば図１０の画面）が表示され、これらＧＵＩ画面が用いられて、情報の指定や入力が行われる。
【００８２】
ついで、視聴情報更新部３２は、ステップＳ１０１で指定されたコンテンツを特定するコンテンツ情報（以下、指定コンテンツ情報）に、ステップＳ１０２で入力されたコンテンツ消去制限者情報を対応付けて、視聴情報記憶部２１に記録する（ステップＳ１０３）。
【００８３】
ついで、予約消去制限者情報更新部３０は、ステップＳ１０１で指定されたコンテンツが、記録予約セットにより記録されたコンテンツであるか否かを判断する（ステップＳ１０４）。具体的には、指定コンテンツ情報に対応付けられたセットＩＤ（図８）が、３桁の数字であるか否かが判断される。
【００８４】
セットＩＤが３桁の数字ではない、つまり「０」である場合には、指定されたコンテンツは、単独の予約により記録されたコンテンツや、ダイレクトに記録されたコンテンツである。この場合、ステップＳ１０４ではＮＯと判定され、図１１の処理は終了する。
【００８５】
一方、セットＩＤが３桁の数字である場合には、指定されたコンテンツは、記録予約セットにより記録されたコンテンツである。この場合、ステップＳ１０４でＹＥＳと判定されることで、ステップＳ１０５が実行される。
【００８６】
ステップＳ１０５では、予約消去制限者情報更新部３０が、予約情報記憶部２０に記憶される予約消去制限者情報を更新する。具体的には、図８の視聴情報テーブルで、指定コンテンツ情報に対応付けられているセットＩＤが特定される。さらに、図３の予約情報テーブルで、上述のセットＩＤから特定される記録予約セットに、入力されたコンテンツ消去制限者情報が、予約消去制限者情報として対応付けられる。
【００８７】
以下、コンテンツ消去制限者情報入力部３１、視聴情報更新部３２、及び予約消去制限者情報更新部３０による処理の例として、図３，４、及び図８に示すテーブルが予約情報記憶部２０や視聴情報記憶部２１に記憶され、ユーザ３に番組ＨＨＨを視聴したい要求がある場合に実行される処理について説明する。
【００８８】
ユーザ３が操作部１５に処理を開始する操作を行うことに応じて、ステップＳ１０１では、図９（ａ）のＧＵＩ画面や、図１０のＧＵＩ画面が表示される。この画面の表示により、ユーザ３は、ユーザ１により番組ＨＨＨのコンテンツが記録されていることを知ることができる。まず、図１０のＧＵＩ画面が表示される場合の流れについて説明する。
【００８９】
ユーザ３が操作部１５を操作して、図１０の画面中の番組ＨＨＨの欄を選択することで、ステップＳ１０１では、図８の視聴情報テーブルの１行目に示す番組ＨＨＨのコンテンツが指定される。
【００９０】
ついで、ステップＳ１０２では、図１２（ａ）に示すように、選択された番組ＨＨＨのファイルに関するメニュー表示画面Ｇ１が表示される。
【００９１】
ついで、ユーザ３が操作部１５を操作して、メニュー表示画面Ｇ１中の「このファイルをインポート」を選択することで、図１２（ｂ）に示すように、インポート先を指定するメニュー表示画面Ｇ２が表示される。メニュー表示画面Ｇ２では、インポート先の表示として、ユーザリストテーブル（図７）に記録されたユーザ１〜４の名称のうち、ユーザ１を除くユーザ２〜４の名称が表示される。なお、ユーザ３がログイン等を行うことで、操作者がユーザ３であることを特定できる場合には、ユーザ３の名称のみが表示されてもよい。
【００９２】
ついで、ユーザ３が操作部１５を操作して、画面Ｇ２中の自身の名称「ユーザ３」を選択することで、ユーザ３を示すコンテンツ消去制限者情報が入力される。
【００９３】
ついで、ステップＳ１０３では、図８の視聴情報テーブルにおいて、ステップＳ１０１で指定されたコンテンツを特定するコンテンツ情報に、ステップＳ１０２で入力されたユーザ３を示す情報（ユーザ３の有効フラグ）を対応付ける。これにより、視聴情報記憶部２１に記憶されるコンテンツ消去制限者情報が更新される。
【００９４】
図１３は、ステップＳ１０３により、コンテンツ消去制限者情報が更新された視聴情報テーブルを示す。図１３の視聴情報テーブルでは、ステップＳ１０１で指定された１行目のコンテンツ情報に、ユーザ３の有効フラグが新たに対応付けられている。この結果、ユーザ３が番組ＨＨＨのコンテンツ消去制限者として設定された状態になる。
【００９５】
ついで、図１１のステップＳ１０４では、図１３の視聴情報テーブルで、指定された１行目のコンテンツ情報に、３桁のセットＩＤが対応付けられている否かが判定される。図１３の１行目のセットＩＤは、「０」であり、３桁の数字ではない。このため、ステップＳ２０４ではＮＯと判定されて、図１１の処理が終了する。
【００９６】
次に、ステップＳ１０１で、図９（ａ）のＧＵＩ画面が表示される場合の流れについて説明する。
【００９７】
この場合、ユーザ３が操作部１５を操作して、図９（ａ）のＧＵＩ画面中の番組ＨＨＨの欄を選択することで、ステップＳ１０１では、視聴情報テーブル（図８）の１行目に示す番組ＨＨＨのコンテンツが指定される。
【００９８】
ついで、ステップＳ１０２では、図１４（ａ）に示すように、選択された番組ＨＨＨのファイルに関するメニュー表示画面Ｇ３が表示される。
【００９９】
ついで、ユーザ３が操作部１５を操作して、メニュー表示画面Ｇ３中の「このファイルをインポート」を選択することで、図１４（ｂ）に示すように、インポート先を指定するメニュー表示画面Ｇ４が表示される。
【０１００】
ついで、ユーザ３が操作部１５を操作して、画面Ｇ４中の自己の名称「ユーザ３」を選択することで、ユーザ３を示す情報が入力される。
【０１０１】
以降は、ステップＳ１０１で図１０の画面が表示される場合と同様、ステップＳ１０３が実行される。この結果、図１３に示すように、視聴情報テーブルで、１行目のコンテンツ情報にユーザ３の有効フラグが対応付けられることで、ユーザ３が番組ＣＣＣのコンテンツ消去制限者として設定された状態になる。さらにステップＳ１０４ではＮＯと判定されることで、図１１の処理が終了する。
【０１０２】
図１５は、図１３の視聴情報テーブルが用いられてテレビモニタに表示されるＧＵＩ画面を示す。図１５（ａ）の画面は、図１３の予約情報テーブルで、ユーザ３の有効フラグが付された１，２行目に基づき表示される。図１５（ｂ）の画面は、図１３のテーブルで、有効フラグが付された全ての行に基づき表示される。
【０１０３】
図１５（ａ）の画面を、図９（ｃ）の画面と比較すると、図１５（ａ）の画面では、番組ＨＨＨの欄が新たに表示されている。また、図１５（ｂ）の画面を、図１０の画面と比較すると、図１５（ｂ）の画面では、番組ＨＨＨの欄にユーザ３を示すカラー付箋Ｆ３が新たに表示されている。
【０１０４】
上記の番組ＨＨＨの欄やカラー付箋Ｆ３は、視聴情報テーブル（図１３）の１行目に、ユーザ３を示す情報（ユーザ３の有効フラグ）が新たに付されたことで、表示されたものである。この表示により、ユーザ３は自身が番組ＨＨＨのコンテンツ消去制限者として設定されたことを知ることができる。
【０１０５】
次に、図３，図４、及び図８のテーブルが記憶される状況で、ユーザ３に番組ＣＣＣを視聴する要求がある場合に実行される図１１の処理について説明する。なお、図３，図４、及び図８のテーブルが記憶される状況では、図４の１，２行目の記録予約情報（図３の４行目の記録予約セットに含まれる記録予約情報）に従って、５月６日（火）や５月１３日（火）に放送された番組ＣＣＣの第１，第２回目のコンテンツが記録されている。これにより、視聴情報テーブル（図８）の４，５行目には、番組ＣＣＣの第１，第２回目のコンテンツを示す情報が記録されている。
【０１０６】
ユーザ３が操作部１５に処理を開始する操作を行うことに応じて、ステップＳ１０１では、図１０のＧＵＩ画面や、図９（ａ）のＧＵＩ画面が表示される。この表示により、ユーザ３は、ユーザ１により番組ＣＣＣのコンテンツが記録されていることを知ることができる。まず、図１０のＧＵＩ画面が表示される場合の流れについて説明する。
【０１０７】
この場合、ユーザ３が操作部１５を操作して、図１０の画面中の番組ＣＣＣの欄を選択することで、図８の視聴情報テーブルの４，５行目に示す番組ＣＣＣのコンテンツが指定される。
【０１０８】
ついで、ステップＳ１０２では、図１６（ａ）に示すように、選択された番組ＣＣＣのファイルに関するメニュー表示画面Ｇ５が表示される。
【０１０９】
ついで、ユーザ３が操作部１５を操作して、メニュー表示画面Ｇ５中の「このファイルをインポート」を選択することで、図１６（ｂ）に示すように、インポート先を指定するメニュー表示画面Ｇ６が表示される。
【０１１０】
ついで、ユーザ３が操作部１５を操作して、画面Ｇ６中の自己の名称「ユーザ３」を選択することで、ユーザ３を示す情報が入力される。
【０１１１】
ついで、ステップＳ１０３では、視聴情報テーブル（図８）において、ステップＳ１０１で、コンテンツが指定された４，５行目のコンテンツ情報に、ステップＳ１０２で入力されたユーザ３を示す情報（ユーザ３の有効フラグ）が対応付けられる。これにより、視聴情報記憶部２１に記憶されるコンテンツ消去制限者情報が更新される。
【０１１２】
図１７は、ステップＳ１０３により、コンテンツ消去制限者情報が更新された視聴情報テーブルを示す。図１７の視聴情報テーブルでは、４，５行目のコンテンツ情報に、ユーザ３の有効フラグが新たに対応付けられている。この結果、ユーザ３は番組ＣＣＣのコンテンツ消去制限者として設定されている。
【０１１３】
ついで、図１１のステップＳ１０４では、図１３の視聴情報テーブルにおいて、ステップＳ１０１で指定された４，５行目のコンテンツ情報に、３桁のセットＩＤが対応付けられているか否かが判定される。４，５行目のセットＩＤは、「２０１」，「２０２」であり、３桁の数字である。よって、ステップＳ１０４では、ＹＥＳと判定され、ステップＳ１０５が実行される。
【０１１４】
ステップＳ１０５では、図１７の視聴情報テーブルにおいて、４，５行目のコンテンツ情報に対応付けられたセットＩＤ「２０１」「２０２」が特定される。さらに、図３の予約情報テーブルで、上記セットＩＤ「２０１」「２０１」の上二桁「２０」を示す予約ＩＤが特定される。さらに図３の予約情報テーブルで、予約ＩＤ「２０」に対応付けられた４行目の記録予約セットが特定されて、前記４行目の記録予約セットに、ステップＳ１０２で入力されたユーザ３を示す予約消去制限者情報（ユーザ３の有効フラグ）が対応付けられる。
【０１１５】
図１８は、ステップＳ１０５により、予約消去制限者情報が更新された予約情報テーブルを示す。図１８のテーブルでは、４行目の記録予約セットに、ユーザ３の有効フラグが新たに対応付けられている。この結果、ユーザ３は番組ＣＣＣの予約消去制限者に設定されている。
【０１１６】
次に、図１１のステップＳ１０１で、図９（ａ）のＧＵＩ画面が表示される場合の流れについて説明する。
【０１１７】
この場合には、ユーザ３が操作部１５を操作して、図９（ａ）のＧＵＩ画面中の番組ＣＣＣの欄を選択することで、図８の視聴情報テーブルの４，５行目に示す番組ＣＣＣのコンテンツが指定される。
【０１１８】
ついで、ステップＳ１０２では、図１９（ａ）に示すように、選択された番組ＣＣＣのファイルに関するメニュー表示画面Ｇ７が表示される。
【０１１９】
ついで、ユーザ３が操作部１５を操作して、メニュー表示画面Ｇ７中の「このファイルをインポート」を選択することで、図１９（ｂ）に示すように、インポート先を指定するメニュー表示画面Ｇ８が表示される。
【０１２０】
ついで、ユーザ３が操作部１５を操作して、画面Ｇ８中の自己の名称「ユーザ３」を選択することで、ユーザ３を示す情報が入力される。
【０１２１】
以降は、ステップＳ１０１で図１０の画面が表示される場合と同様に、ステップＳ１０３が実行される。この結果、図１７に示すように、視聴情報テーブルでは、４，５行目のコンテンツ情報に、ユーザ３の有効フラグが新たに対応付けられる。これにより、ユーザ３が連続番組ＣＣＣのコンテンツ消去制限者として設定された状態になる。また、ステップＳ１０４ではＹＥＳと判定されることで、ステップＳ１０５が実行される。この結果、図１８に示すように、予約情報テーブルは、４行目の記録予約セットに、ユーザ３の有効フラグが新たに対応付けられる。これにより、ユーザ３が連続番組ＣＣＣの予約消去制限者に設定された状態になる。
【０１２２】
図２０（ａ）は、図１８の予約情報テーブルで、ユーザ３の有効フラグが付された４〜６行に基づき、テレビモニタに表示されるＧＵＩ画面を示す。
【０１２３】
図２０（ａ）の画面を図５（ｂ）の画面と比較すると、図２０（ａ）の画面では、番組ＣＣＣの欄が新たに追加されている。これは、図１８に示すように、予約情報テーブルの４行目に、ユーザ３を示す情報（ユーザ３の有効フラグ）が付されたためである。この表示により、ユーザ３は、自身が番組ＣＣＣの予約消去制限者として設定されたことを把握することができる。
【０１２４】
図２０（ｂ），（ｃ）は、図１７の視聴情報テーブルで、ユーザ３の有効フラグが付された４，５行に基づき、テレビモニタに表示されるＧＵＩ画面を示す。
【０１２５】
図２０（ｂ）の画面を図９（ｃ）の画面と比較すると、図２０（ｂ）の画面では、番組ＣＣＣの欄が新たに追加されている。これは、図１７に示すように、視聴情報テーブルの４，５行目に、ユーザ３を示す情報（ユーザ３の有効フラグ）が付されたためである。この表示により、ユーザ３は、自身が番組ＣＣＣのコンテンツ消去制限者として設定されたことを把握することができる。
【０１２６】
図２０（ｃ）の画面は、図２０（ｂ）の画面が表示されているときに、ユーザが操作部１５を操作して、番組ＣＣＣの欄を選択することで表示される。図２０（ｃ）の画面では、番組ＣＣＣの表示が、５月６日（火）の放送分の情報を示す表示と、５月１３日（火）の放送分の情報を示す表示とに展開されている。この展開表示は、図１７の視聴情報テーブルの４，５行目に示されるコンテンツ情報が取得されることで行われる。上記の展開表示により、ユーザ３は、番組ＣＣＣの５月６日（火）や５月１３日（火）の放送分が記録されていることを把握することができる。
【０１２７】
図２１（ａ）は、図１８の予約情報テーブルで、有効フラグが付された全ての行に基づき、テレビモニタに表示されるＧＵＩ画面を示す。図２１（ｂ）は、図１７の視聴情報テーブルで、有効フラグが付された全ての行に基づき、テレビモニタに表示されるＧＵＩ画面を示す。
【０１２８】
図２１（ａ），（ｂ）の画面を、それぞれ図６の画面や図１０の画面と比較すると、図２１（ａ），（ｂ）の画面では、番組ＣＣＣの欄に、ユーザ３を示すカラー付箋Ｆ３が新たに表示されている。このカラー付箋Ｆ３は、図１８のテーブルの４行目や、図１７のテーブルの４，５行目に、ユーザ３を示す情報（ユーザ３の有効フラグ）が付されたことで、表示されるものである。カラー付箋Ｆ３の表示により、例えば、ユーザは、ユーザ３が番組ＣＣＣの予約消去制限者やコンテンツ消去制限者として設定されたことを知ることができる。
【０１２９】
次に、記録予約消去制限部５０により実行される予約消去制限処理を、図２２を用いて説明する。図２２の処理は、ユーザが操作部１５を操作することで、予約情報テーブル（図３，図１８）から予約消去制限者情報（有効フラグ）が削除されることに応じて開始される。
【０１３０】
まず、記録予約消去制限部５０は、削除された予約消去制限者情報に対応付けられていた記録予約情報や記録予約セットを特定する（ステップＳ２０１）。
【０１３１】
ついで、記録予約消去制限部５０は、ステップＳ２０１で特定された記録予約情報等に、他の予約消去制限者情報（有効フラグ）が対応付けられているか否かを判定する（ステップＳ２０２）。
【０１３２】
予約消去制限者情報が対応付けられていない場合（ステップＳ２０２でＮＯ）、記録予約消去制限部５０は、ステップＳ２０１で特定された記録予約情報等を消去し（ステップＳ２０３）、消去完了の通知をテレビモニタに表示する（ステップＳ２０４）。
【０１３３】
一方、予約消去制限者情報が対応付けられている場合（ステップＳ２０２でＹＥＳ）、記録予約消去制限部５０は、記録予約情報等を消去せず、記録予約が消去不可能である旨の通知をテレビモニタに表示する（ステップＳ２０５）。
【０１３４】
次に、コンテンツ消去制限部５１により実行されるコンテンツ消去制限処理を、図２３を用いて説明する。図２３の処理は、ユーザが操作部１５を操作することで、視聴情報テーブル（図８，図１３）から、コンテンツ消去制限者情報（有効フラグ）が削除されることに応じて開始される。
【０１３５】
まず、コンテンツ消去制限部５１は、削除されたコンテンツ消去制限者情報に対応付けられていたコンテンツ情報を特定する（ステップＳ３０１）。
【０１３６】
ついで、コンテンツ消去制限部５１は、ステップＳ３０１で特定されたコンテンツ情報に、他のコンテンツ消去制限者情報（有効フラグ）が対応付けられているか否かを判定する（ステップＳ３０２）。
【０１３７】
コンテンツ消去制限者情報が対応付けられていない場合（ステップＳ３０２でＮＯ）、コンテンツ消去制限部５１は、ステップＳ３０１で特定されたコンテンツ情報が示すコンテンツを消去し（ステップＳ３０３）、消去完了の通知をテレビモニタに表示する（ステップＳ３０４）。
【０１３８】
一方、コンテンツ消去制限者情報が対応付けられている場合（ステップＳ３０２でＹＥＳ）、コンテンツ消去制限部５１は、コンテンツ情報が示すコンテンツを消去せず、消去不可能である旨の通知をテレビモニタに表示する（ステップＳ３０５）。
【０１３９】
以上、実施の形態１によれば、コンテンツが指定されて、さらにコンテンツ消去制限者情報が入力されることで、該コンテンツ消去制限者情報が、指定されたコンテンツを特定するコンテンツ情報に対応付けられる。これにより、コンテンツは、コンテンツ消去制限者情報によって、その消去が制限される。よって、自己のコンテンツ消去制限者情報を希望のコンテンツに対応付けて記憶させることで、他者による希望コンテンツの消去を防止できる。
【０１４０】
また、指定されたコンテンツが、記録予約セットにより記録されたコンテンツである場合には、指定されたコンテンツを特定するコンテンツ情報に、コンテンツ消去制限者情報が対応付けられる。これにより、記録予約セットにより記録された連続番組等の過去放送分を消去できない状態にすることができる。
【０１４１】
また、指定されたコンテンツが、記録予約セットにより記録されたコンテンツである場合には、コンテンツ情報に対応するセットＩＤが特定されて、前記セットＩＤにより特定される記録予約セットに、コンテンツ消去制限者情報が、予約消去制限者情報として対応付けられる。これにより、記録予約セットは、その消去が制限される。これにより、関心のある連続番組等の将来放送分を確実に記録することが可能になる。
【０１４２】
また、視聴情報テーブル（図８，図１３，図１７）では、コンテンツ情報やコンテンツ消去制限者情報に、コンテンツの再生停止位置を示すレジューム情報が対応付けて記録される。このため、コンテンツ消去制限者が前回再生を停止した位置から、コンテンツを再生することが可能となる。
【０１４３】
また、予約情報テーブル（図３，図１８）で、記録予約情報や記録予約セットに予約消去制限者情報が対応付けられることで、例えば図５のＧＵＩ画面のように、ユーザ毎の記録予約一覧を表示したり、例えば図６に示すカラー付箋Ｆのように、各ユーザの記録予約を特定する表示を行うことが可能になる。これにより、ユーザは、自身が記録予約したコンテンツや、他のユーザが記録予約したコンテンツを容易に把握できる。
【０１４４】
また、視聴情報テーブル（図８，図１３，図１７）で、コンテンツ情報にコンテンツ消去制限者情報が対応付けられることで、例えば図９のＧＵＩ画面のように、ユーザ毎のコンテンツの一覧を表示したり、例えば図１０に示すカラー付箋Ｆのように、各ユーザのコンテンツを特定する表示を行うことが可能になる。これにより、ユーザは、自身がコンテンツ消去制限者に登録されたコンテンツや、他のユーザがコンテンツ消去制限者に登録されたコンテンツを容易に把握できる。
【０１４５】
（実施の形態２）
次に、本発明の実施の形態２について図面を参照して詳細に説明する。実施の形態２は、記録予約が、一ユーザによって他ユーザの同意なく消去される事態を防止可能とするものである。
【０１４６】
実施の形態２では、ＲＯＭ１３（図１）に記憶された制御プログラムが、図１に示す各部を資源として用いて処理することで、図２４に示すように、予約情報記憶部２０と、視聴情報記憶部２１と、予約消去制限者情報入力部４０と、予約消去制限者情報更新部４１と、視聴情報更新部４２と、記録予約消去制限部５０と、コンテンツ消去制限部５１とが機能的に構成される。実施の形態１と同様、予約情報記憶部２０には、図３，図４，図７に示すテーブルが記憶され、視聴情報記憶部２１には、図８に示す視聴情報テーブルが記憶される。また記録予約消去制限部５０は、ユーザの操作により記録予約情報等が削除されることに応じて図２２の処理を実行する。コンテンツ消去制限部５１は、ユーザの操作によりコンテンツ消去制限者情報（有効フラグ）が削除されることに応じて図２３の処理を実行する。
【０１４７】
以下、予約消去制限者情報入力部４０、予約消去制限者情報更新部４１、及び視聴情報更新部４２により実行される制限者情報登録処理について、図２５を用いて説明する。図２５の処理は、ユーザが操作部１５を用いて、処理を開始する操作を実行することに応じて実行される。
【０１４８】
まず、予約消去制限者情報入力部４０は、図３の予約情報テーブルに示される記録予約情報や記録予約セット（以下、記録予約情報等）の指定を受け付ける（ステップＳ２０１）。
【０１４９】
ついで、予約消去制限者情報入力部４０は、指定された記録予約情報等に対応付ける予約消去制限者情報の入力を受け付ける（ステップＳ２０２）。
【０１５０】
上記のステップＳ２０１，Ｓ２０２では、図３の予約情報テーブルに基づき、操作以外の者が予約消去制限者に登録されたコンテンツを示すＧＵＩ画面（例えば図５（ａ）の画面）や、予約消去制限者が登録されている全てのコンテンツを示すＧＵＩ画面（例えば図６の画面）が表示され、これらＧＵＩ画面が用いられて、情報の指定や入力が行われる。
【０１５１】
ついで、予約消去制限者情報更新部４１は、図３の予約情報テーブルで、ステップＳ２０１で指定された記録予約情報等に、ステップＳ２０２で入力された予約消去制限者情報を対応付けて、予約情報記憶部２０に記録する（ステップＳ２０３）。
【０１５２】
ついで、視聴情報更新部４２は、ステップＳ２０１で指定された情報が、記録予約セットであるか否かを判断する（ステップＳ２０４）。具体的には、ステップＳ２０１で指定された情報に対応付けられている予約ＩＤ（図３）は、２桁の数字であるか否かが判断される。
【０１５３】
予約ＩＤが２桁の数字ではない場合、ステップＳ２０１では、単独の記録予約を設定する記録予約情報が指定されている。この場合、ステップＳ２０４ではＮＯと判定されて、図２５の処理は終了する。
【０１５４】
予約ＩＤが２桁の数字である場合、ステップＳ２０１では、記録予約セットが指定されている。この場合、ステップＳ２０４ではＹＥＳと判定されて、ステップＳ２０５が実行される。
【０１５５】
ステップＳ２０５では、視聴情報更新部４２は、視聴情報記憶部２１に記憶されるコンテンツ消去制限者情報を更新する。具体的には、図３の予約消去制限者情報テーブルで、ステップＳ２０１で指定された記録予約セットに対応付けられている予約ＩＤが特定される。さらに、図８のコンテンツ消去制限者情報テーブルで、上述の予約ＩＤを上二桁に含むセットＩＤが特定されて、前記セットＩＤが付されたコンテンツ情報に、ステップＳ２０２で入力された予約消去制限者情報が、コンテンツ消去制限者情報として対応付けられる。
【０１５６】
以下、予約消去制限者情報入力部４０、予約消去制限者情報更新部４１、及び視聴情報更新部４２により実行される処理の例として、図３，図４、及び図８のテーブルが記憶される状況で、ユーザ３に番組ＡＡＡを記録予約したい要求がある場合に実行される処理について説明する。
【０１５７】
ユーザ３がＧＵＩ画面を表示させる操作を行うことに応じて、図３の予約情報テーブルに基づき、図５（ａ）や図６のＧＵＩ画面が表示される。この表示により、ユーザ３は、ユーザ１が番組ＡＡＡを記録予約していることを知ることができる。まず、図６のＧＵＩ画面が表示される場合の流れについて説明する。
【０１５８】
この場合、図２５のステップＳ２０１では、ユーザ３が操作部１５を操作して、図６の画面中の番組ＡＡＡの欄を選択することで、図３の予約情報テーブルで、番組ＡＡＡに対応する１行目の記録予約情報が指定される。
【０１５９】
ついで、ステップＳ２０２では、図２６（ａ）に示すように、前記選択された番組ＡＡＡのファイルに関するメニュー表示画面Ｇ９が表示される。
【０１６０】
ついで、ユーザ３が操作部１５を操作して、メニュー表示画面Ｇ９中の「この予約をインポート」を選択することで、図２６（ｂ）に示すように、インポート先を指定するメニュー表示画面Ｇ１０が表示される。このメニュー表示画面Ｇ１０では、ユーザリストテーブル（図７）に記録されたユーザ１〜４の名称のうち、ユーザ１を除く、ユーザ２〜４の名称が表示される。
【０１６１】
ついで、ユーザ３が操作部１５を操作して、画面Ｇ１０中の自己の名称「ユーザ３」を選択することで、ユーザ３を示す情報が入力される。
【０１６２】
ついで、ステップＳ２０３では、予約情報テーブル（図３）において、ステップＳ２０１で指定された記録予約情報に、ステップＳ２０２で入力されたユーザ３を示す情報（ユーザ３の有効フラグ）を対応付けることで、予約情報記憶部２０に記憶される予約消去制限者情報が更新される。
【０１６３】
図２７は、ステップＳ２０３により、予約消去制限者情報が更新された予約情報テーブルを示す。図２７の予約情報テーブルでは、ステップＳ２０１で指定された１行目の記録予約情報に、ユーザ３の有効フラグが新たに対応付けられている。この結果、ユーザ３は、番組ＡＡＡの予約消去制限者として設定されている。つまり、ユーザ３が番組ＡＡＡの記録予約を消去しない限り、番組ＡＡＡの記録予約が維持される状態になっている。
【０１６４】
ついで、図２５のステップＳ２０４では、図２７の予約情報テーブルで、指定された１行目の記録予約情報に対応付けられた予約ＩＤ「１」が、２桁の数字であるか否かが判定される。予約ＩＤ「１」は２桁の数字ではないため、ＮＯと判定されて、図２５の処理が終了する。
【０１６５】
次に、ステップＳ２０１で、図５（ａ）のＧＵＩ画面が表示された場合の流れについて説明する。
【０１６６】
この場合、ユーザ３が操作部１５を操作して、図５（ａ）の画面中の番組ＡＡＡの欄を選択することで、ステップＳ２０１では、図３の予約情報テーブルで、番組ＡＡＡに対応する１行目の記録予約情報が指定される。
【０１６７】
ついで、ステップＳ２０２では、図２８（ａ）に示すように、選択された番組ＡＡＡのファイルに関するメニュー表示画面Ｇ１１が表示される。
【０１６８】
ついで、ユーザ３が操作部１５を操作して、メニュー表示画面Ｇ１１中の「この予約をインポート」を選択することで、図２８（ｂ）に示すように、インポート先を指定するメニュー表示画面Ｇ１２が表示される。
【０１６９】
ついで、ユーザ３が操作部１５を操作して、画面Ｇ１２中の自己の名称「ユーザ３」を選択することで、ユーザ３を示す情報が入力される。
【０１７０】
以降は、ステップＳ２０１で図６の画面が表示される場合と同様に、ステップＳ２０３が実行される。この結果、図２７に示すように、予約情報テーブルで、１行目の記録予約情報に、ユーザ３の有効フラグが新たに対応付けられる。これにより、ユーザ３が番組ＡＡＡの予約消去制限者として設定される。さらにステップＳ２０４でＮＯと判定されることで、図２５の処理が終了する。
【０１７１】
図２９は、図２７の予約情報テーブルに基づき、テレビモニタに表示されるＧＵＩ画面を示す。図２９（ａ）は、図２７の予約情報テーブルで、ユーザ３の有効フラグが付された１，５，６行に基づき表示される画面を示す。図２９（ｂ）は、図２７の予約情報テーブルで、有効フラグが付された全ての行に基づき表示される画面を示す。
【０１７２】
図２９（ａ）の画面を、図５（ｂ）の画面と比較すると、図２９（ａ）の画面では、番組ＡＡＡの欄が新たに表示されている。また、図２９（ｂ）の画面を、図６の画面と比較すると、図２９（ｂ）の画面では、番組ＡＡＡの欄に、ユーザ３を示すカラー付箋Ｆ３が新たに表示されている。
【０１７３】
上述の番組ＡＡＡの欄やカラー付箋Ｆ３は、図２７のテーブルの１行目に、ユーザ３を示す情報（ユーザ３の有効フラグ）が付されたことで、表示される。この表示により、ユーザ３は自身が番組ＡＡＡの予約消去制限者として設定されたことを知ることができる。
【０１７４】
次に、図３，図４、及び図８のテーブルが記憶される状況で、ユーザ３に番組ＣＣＣを記録予約したい要求がある場合に実行される処理について説明する。この場合も、ステップＳ２０１では、ユーザの操作により、図３の予約情報テーブルに基づき、図５（ａ）や図６に示すＧＵＩ画面が表示される。この表示により、ユーザ３は、番組ＣＣＣがユーザ１により記録予約されていることを知ることができる。まず、図６のＧＵＩ画面が表示される場合の流れについて説明する。
【０１７５】
この場合には、ユーザ３が操作部１５を操作して、図６の画面中の番組ＣＣＣの欄を選択することで、ステップＳ２０１では、図３の予約情報テーブルで、番組ＣＣＣに対応する４行目の記録予約セットが指定される。
【０１７６】
ついで、ステップＳ２０２では、図３０（ａ）に示すように、選択された番組ＣＣＣのファイルに関するメニュー表示画面Ｇ１３が表示される。
【０１７７】
ついで、ユーザ３が操作部１５を操作して、メニュー表示画面Ｇ１３中の「この予約をインポート」を選択することで、図３０（ｂ）に示すように、インポート先を指定するメニュー表示画面Ｇ１４が表示される。
【０１７８】
ついで、ユーザ３が操作部１５を操作して、画面Ｇ１４中の自己の名称「ユーザ３」を選択することで、ユーザ３を示す情報が入力される。
【０１７９】
ついで、ステップＳ２０３では、予約情報テーブル（図３）において、ステップＳ２０１で指定された４行目の記録予約セットに、ステップＳ２０２で入力されたユーザ３を示す情報（ユーザ３の有効フラグ）を対応付けることで、記録予約セットに対応付ける予約消去制限者情報が更新される。
【０１８０】
この結果、予約情報テーブルでは、図１８と同様、４行目の記録予約セットに、ユーザ３の有効フラグが新たに対応付けられる。これにより、ユーザ３が番組ＣＣＣの予約消去制限者に設定される。つまり、ユーザ３が番組ＣＣＣの記録予約を消去しない限り、番組ＣＣＣの記録予約が維持される状態になる。
【０１８１】
また、図１８の予約情報テーブルに基づき、図２０（ａ）に示すＧＵＩ画面がテレビモニタに表示される。この表示により、ユーザ３は、自身が番組ＣＣＣの予約消去制限者に設定されたことを知ることができる。
【０１８２】
ついで、図２５のステップＳ２０４では、図１８の予約情報テーブルにおいて、ステップＳ２０１で指定された４行目の記録予約セットに対応付けられた予約ＩＤ「２０」が、２桁の数字であるか否かが判定される。予約ＩＤ「２０」は２桁の数字であるため、ステップＳ２０４ではＹＥＳと判定されて、ステップＳ２０５が実行される。
【０１８３】
ステップＳ２０５では、図１８の予約情報テーブルにおいて、指定された４行目の記録予約セットに対応付けられた予約ＩＤ「２０」が特定される。さらに、図８の視聴情報テーブルで、予約ＩＤ「２０」を上二桁に含むセットＩＤ「２０１」「２０２」が特定される。さらに、セットＩＤ「２０１」「２０２」が付された４，５行目のコンテンツ情報に、ステップＳ２０２で入力されたユーザ３を示す情報（ユーザ３の有効フラグ）が、コンテンツ消去制限者情報として対応付けられる。
【０１８４】
この結果、図１７に示すように、視聴情報テーブルでは、４，５行目のコンテンツ情報に、ユーザ３の有効フラグが新たに対応付けられる。これにより、ユーザ３が番組ＣＣＣのコンテンツ消去制限者に設定される。
【０１８５】
また、図１７の視聴情報テーブルに基づき、図２０（ｂ），（ｃ）に示すＧＵＩ画面がテレビモニタに表示される。この表示により、ユーザ３は、自身が番組ＣＣＣのコンテンツ消去制限者として設定されたことや、番組ＣＣＣの５月６日（火）や５月１３日（火）の放送分が記録されていることを知ることができる。
【０１８６】
次に、図２５のステップＳ２０１で、図５（ａ）のＧＵＩ画面が表示された場合の流れについて説明する。
【０１８７】
この場合、ユーザ３が操作部１５を操作して、図５（ａ）の画面中の番組ＣＣＣの欄を選択することで、ステップＳ２０１では、図３の予約情報テーブルにおいて、番組ＣＣＣに対応する４行目の記録予約セットが指定される。
【０１８８】
ついで、ステップＳ２０２では、図３１（ａ）に示すように、選択された番組ＣＣＣに関するメニュー表示画面Ｇ１５が表示される。
【０１８９】
ついで、ユーザ３が操作部１５を操作して、メニュー表示画面Ｇ１５中の「この予約をインポート」を選択することで、図３１（ｂ）に示すように、インポート先を指定するメニュー表示画面Ｇ１６が表示される。
【０１９０】
ついで、ユーザ３が操作部１５を操作して、画面Ｇ１６中の自己の名称「ユーザ３」を選択することで、ユーザ３を示す情報が入力される。
【０１９１】
以降は、ステップＳ２０１で図６の画面が表示される場合と同様に、ステップＳ２０３が実行される。この結果、図１８に示すように、予約情報テーブルでは、４行目の記録予約セットに、ユーザ３の有効フラグが新たに対応付けられ、ユーザ３が番組ＣＣＣの予約消去制限者として設定される。
【０１９２】
また、図２５のステップＳ２０４ではＹＥＳと判定されることで、ステップＳ２０５が実行される。この結果、視聴情報テーブルでは、図１７に示すように、４，５行目のコンテンツ情報に、ユーザ３の有効フラグが新たに対応付けられ、ユーザ３が番組ＣＣＣのコンテンツ消去制限者として設定される。
【０１９３】
実施の形態２によれば、記録予約情報や記録予約セットが指定されて、予約消去制限者情報が入力されることで、前記予約消去制限者情報が、指定された記録予約情報や記録予約セットに対応付けられる。これにより、記録予約情報や記録予約セットは、予約消去制限者情報によって、その消去が制限される。よって、自己の予約消去制限者情報を希望の録画予約を設定する記録予約情報等に対応付けて記憶させることで、他者による希望記録予約の消去を防止できる。
【０１９４】
また、記録予約セットが指定された場合には、前記記録予約セットに対応するセットＩＤが特定され、また、前記セットＩＤに対応付けられたコンテンツ情報が特定されて、前記コンテンツ情報に、予約消去制限者情報が、コンテンツ消去制限者情報として対応付けられる。これにより、上記記録予約セットにより記録された過去放送分のコンテンツは、その消去が制限される。これにより、関心のある連続番組等の過去放送分が他者により消去されることを防止できる。
【０１９５】
本発明は、上記実施の形態に限定されず、特許請求の範囲において種々改変が可能である。
【０１９６】
例えば、予約情報テーブルは、単独の記録予約を設定する記録予約情報と、連続番組等の記録予約を設定する記録予約セットとが混在して記録されていたが、記録予約セットのみを記録する予約情報テーブルが作成されるようにしてもよい。この場合でも、記録予約セットが記録された予約情報テーブルを用いて、図１１や図２５の処理が実行可能である。
【０１９７】
また、記録予約を行う際にユーザにユーザ番号を入力させ、前記ユーザ番号から特定されるユーザの有効フラグが、予約情報テーブル（図３）に記録されるようにしてもよい。このようにすることで、一のユーザが所望する記録予約が、他のユーザにより設定されている場合、他のユーザの記録予約のリスト（例えば図５のＧＵＩ画面に相当）を表示することなく、一のユーザを予約消去制限者として登録できる（予約情報テーブル（図３）に、一のユーザの有効フラグを記録できる）。
【０１９８】
なお、一のユーザが所望する記録予約が記録予約セットにより行われ、且つ、前記記録予約セットにより過去放送分のコンテンツが記録されている場合には、さらに、視聴情報テーブル（図８）で、過去放送分のコンテンツを示すコンテンツ情報に、ユーザ番号から特定されるユーザの有効フラグが対応付けられる。
【０１９９】
また、本発明は、ネットワークを介して接続される複数の記録装置でコンテンツを共有する場合にも適用が可能である。例えば、本発明は、複数の記録装置がネットワークを介して接続されて、一の記録装置に記録されたコンテンツの再生や、一の記録装置における記録予約を、他の記録装置が実行可能なシステムに適用され得る。この場合、例えば、一の記録装置に図３，図４に示すテーブルや、図８に示す視聴情報テーブルが記憶され、他の記録装置は、通信部１６を通じてネットワークに接続することで、一の記録装置に記憶されたテーブルにアクセスして、図１１、図２２、図２３、及び図２５の処理を実行する。
【０２００】
また、図３，図４、及び図８のテーブルが用いられて表示されるＧＵＩ画面は、実施の形態１，２で示す形態に限らず、記録予約やコンテンツのリストをユーザ毎に表示可能な任意の形態に設定され得る。
【０２０１】
また、上記実施の形態１，２における各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に伝送されて記憶される。また、上記プログラムは、単独のアプリケーションソフトとして提供されてもよいし、装置の一機能としてその装置のソフトウェアに組み込まれてもよい。
【０２０２】
また、上記実施の形態では、テレビモニタやスピーカ等を備える記録装置を例として説明したが、本発明は、映像情報及び音声情報を外部のモニタやスピーカに出力する記録装置にも適用することが可能である。
【符号の説明】
【０２０３】
１  録画装置（記録装置）
２  チューナ部
３  ＤＥＭＵＸ部
４  オーディオデコーダ
５  音声制御部
６  音声出力部
７  ビデオデコーダ
８  映像制御部
９  映像出力部
１０  エンコーダ
１１  記憶部
１２  制御部
１３  ＲＯＭ
１４  ＲＡＭ
１５  操作部
１６  通信部
１８  内部バス
２０  予約情報記憶部
２１  視聴情報記憶部
３０  予約消去制限者情報更新部
３１  コンテンツ消去制限者情報入力部
３２  視聴情報更新部
４０  予約消去制限者情報入力部
４１  予約消去制限者情報更新部
４２  視聴情報更新部
５０  記録予約消去制限部
５１  コンテンツ消去制限部
Ｂ１，Ｂ２，Ｂ３，Ｂ４  ボタン
Ｆ１，Ｆ２，Ｆ４  カラー付箋
Ｇ１，Ｇ２，Ｇ３，Ｇ４，Ｇ５，Ｇ６，Ｇ７，Ｇ８，Ｇ９，Ｇ１０，Ｇ１１，Ｇ１２，
Ｇ１３，Ｇ１４，Ｇ１５，Ｇ１６  メニュー表示画面
Ｓ  スライドバー
【図１】
0005720476.tif 000002
【図２】
0005720476.tif 000003
【図５】
0005720476.tif 000004
【図６】
0005720476.tif 000005
【図７】
0005720476.tif 000006
【図９】
0005720476.tif 000007
【図１０】
0005720476.tif 000008
【図１１】
0005720476.tif 000009
【図１２】
0005720476.tif 000010
【図１４】
0005720476.tif 000011
【図１５】
0005720476.tif 000012
【図１６】
0005720476.tif 000013
【図１９】
0005720476.tif 000014
【図２０】
0005720476.tif 000015
【図２１】
0005720476.tif 000016
【図２２】
0005720476.tif 000017
【図２３】
0005720476.tif 000018
【図２４】
0005720476.tif 000019
【図２５】
0005720476.tif 000020
【図２６】
0005720476.tif 000021
【図２８】
0005720476.tif 000022
【図２９】
0005720476.tif 000023
【図３０】
0005720476.tif 000024
【図３１】
0005720476.tif 000025
【図３】
0005720476.tif 000026
【図４】
0005720476.tif 000027
【図８】
0005720476.tif 000028
【図１３】
0005720476.tif 000029
【図１７】
0005720476.tif 000030
【図１８】
0005720476.tif 000031
【図２７】
0005720476.tif 000032